(57)【要約】【課題】本発明は通帳ページ捲り動作の制御方法及び装置に関し、ページ捲りの成功率を向上させることができる通帳ページ捲り動作の制御方法及び装置を提供することを目的としている。【解決手段】通帳のページ捲り動作を行なう装置であって、初回目のページ捲り動作が失敗した場合に繰り返しページ捲り動作を行なう場合において、２回目のページ捲り動作を行なう前に、ページ捲り失敗を起こさないための所定の制御処理を行ない（ステップ１）、前記制御処理を行なった後に、通常の捲り動作を行なう（ステップ２）、ように構成する。前記制御処理を行なうことで、捲り動作の成功率の向上が図れる。【選択図】　　　図１
2004090350.tif 000002
【特許請求の範囲】
【請求項１】
通帳のページ捲り動作を行なう装置であって、初回目のページ捲り動作が失敗した場合に繰り返しページ捲り動作を行なう場合において、
２回目のページ捲り動作を行なう前に、ページ捲り失敗を起こさないための所定の制御処理を行ない（ステップ１）、
前記制御処理を行なった後に、通常の捲り動作を行なう（ステップ２）、
ようにしたことを特徴とする通帳ページ捲り動作の制御方法。
【請求項２】
前記所定の制御処理は、ページの一括捲り上げ及び／又は動作又は捲りローラのクリーニング動作であることを特徴とする請求項１記載の通帳ページ捲り動作の制御方法。
【請求項３】
捲り機構部内で通帳ページ面を捲りローラにて、ページを膨らませる方向に回転させ続けることによりページの一括捲り上げを行ない、その後捲り上げたページを元に戻す動作を行なうことを特徴とする請求項２記載の通帳ページ捲り動作の制御方法。
【請求項４】
捲り機構部内で、通帳ページ面の余白部分を捲りローラにて、ページを膨らませる方向とは逆向きに回転させることを特徴とする請求項２記載の通帳ページ捲り動作の制御方法。
【請求項５】
通帳のページ捲り動作を行なう装置であって、初回目のページ捲り動作が失敗した場合に繰り返しページ捲り動作を行なう場合において、
２回目のページ捲り動作を行なう前に、ページ捲り失敗を起こさないための所定の制御処理を行なう手段と、
前記制御処理を行なった後に、通常の捲り動作を行なう手段、
とを設けたことを特徴とする通帳ページ捲り動作の制御装置。
【発明の詳細な説明】
【０００１】
【発明の属する技術分野】
本発明は通帳ページ捲り動作の制御方法及び装置に関する。銀行営業店端末装置、自動預金受払い機（ＡＴＭ）、通帳記帳機、通帳発行機等においては、その内部にページ捲り機構が備わっている。このページ捲り機構は、通帳のページを機械的に捲るものであるため、永年使用していると、劣化により動作が不安定になる。そこで、この種の装置のページ捲り機構をできるだけ長くもたせるための工夫が必要となってくる。
【０００２】
【従来の技術】
銀行営業店端末装置、自動預金受払い機、通帳記帳機等の、通帳のページ捲り機構を備えるものにおいて、複数ページへの記帳要件が発生した場合、ページ捲り機構部を制御して、通帳のページ捲り動作を行なう。その通帳捲り動作が失敗した場合には、再度、ページ捲り動作を繰り返すことによってページ捲りの成功率を高める方法を取っている。
【０００３】
【発明が解決しようとする課題】
ページ捲り動作の成功率は、取り扱う通帳媒体状態（折れ、汚れ、湿気や静電気等）や、装置の捲り機構状態（汚れ、摩耗、熱等）及び環境状態（気温や湿度等）により影響を受ける。このため、ページ捲りの成功率を向上させることが望まれている。
【０００４】
本発明は、このような課題に鑑みてなされたものであって、ページ捲りの成功率を向上させることができる通帳ページ捲り動作の制御方法及び装置を提供することを目的としている。
【０００５】
【課題を解決するための手段】
（１）図１は本発明の原理を示すフローチャートである。本発明は、通帳のページ捲り動作を行なう装置であって、初回目のページ捲り動作が失敗した場合に繰り返しページ捲り動作を行なう場合において、２回目のページ捲り動作を行なう前に、ページ捲り失敗を起こさないための所定の制御処理を行ない（ステップ１）、前記制御処理を行なった後に、通常の捲り動作を行なう（ステップ２）、ようにしたことを特徴とする。
【０００６】
このように構成すれば、通帳の捲り開始前にページ捲り失敗を起こさないための処理の制御処理を行なうので、ページ捲りの成功率を向上させることができる。
（２）請求項２記載の発明は、前記所定の制御処理は、ページの一括捲り上げ動作及び／又は捲りローラのクリーニング動作であることを特徴とする。
【０００７】
このように構成すれば、ページの一括捲り上げ動作時には、ページとページの間に隙間が生じることになり、さばき効果（ページ間の密着力を軽減する効果）が発生する。このため、次に行なうページ捲りの成功率を高めることができる。また、ローラをクリーニングした場合にもグリップ力を高めることで次に行なうページ捲りの成功率を高めることができる。
（３）請求項３記載の発明は、捲り機構部内で通帳ページ面を捲りローラにて、ページを膨らませる方向に回転させ続けることによりページの一括捲り上げを行ない、その後捲り上げたページを元に戻す動作を行なうことを特徴とする。
【０００８】
このように構成すれば、ページ一括捲り上げにより、ページとページの間に隙間が生じた状態になっているので、ページを元に戻してページ捲りを行わせるとき、ページ捲りの成功率を高めることができる。
（４）請求項４記載の発明は、捲り機構部内で、通帳ページ面の余白部分を捲りローラにて、ページを膨らませる方向とは逆向きに回転させることを特徴とする。
【０００９】
このように構成すれば、捲りローラの面がクリーニングされてページ捲り時のグリップ力を回復させ、ページ捲りの成功率を高めることができる。
（５）請求項５記載の発明は、通帳のページ捲り動作を行なう装置であって、初回目のページ捲り動作が失敗した場合に繰り返しページ捲り動作を行なう場合において、２回目のページ捲り動作を行なう前に、ページ捲り失敗を起こさないための所定の制御処理を行なう手段と、前記制御処理を行なった後に、通常の捲り動作を行なう手段、とを設けたことを特徴とする。
【００１０】
このように構成すれば、ページ捲りの成功率を高めたページ捲り動作の制御装置を提供することができる。
【００１１】
【発明の実施の形態】
以下、図面を参照して本発明の実施の形態例を詳細に説明する。
図２は本発明の一実施の形態例の動作を示すフローチャートである。処理の主体は、ページ捲り装置内に設けられている制御部（図示せず）である。先ず、１回目のページ捲り動作を行なう（Ｓ１）。そして、１回目のページ捲り動作が失敗したかどうかをチェックする（Ｓ２）。成功した場合には、ページ捲り成功終了となる（Ｓ１０）。
【００１２】
ステップＳ２において、ページ捲りに失敗した場合、ページの一括捲り上げ動作を行なう（Ｓ３）。ページの一括捲り上げ動作については後述する。続いて捲りローラのクリーニング動作を行なう（Ｓ４）。捲りローラのクリーニング動作については後述する。
【００１３】
ページ捲りを失敗させないための処理であるステップＳ３とＳ４が終了したら、２回目のページ捲り動作を行なう（Ｓ５）。なお、２回目以降のページ捲り動作をリトライ動作という。ここで、２回目のページ捲り動作が失敗したかどうかをチェックする（Ｓ６）。成功した場合には、ページ捲り成功終了となる（Ｓ１０）。通常は、ステップＳ３とＳ４を実行することによりページ捲りのための処理を行なっているので、２回目のページ捲りでは成功することが予測される。
【００１４】
それでもステップＳ６でページ捲りに失敗した場合には、３回目のページ捲り動作を行なう（Ｓ７）。そして、ページ捲りが失敗したかどうかをチェックする（Ｓ８）。成功した場合には、ページ捲り成功終了となる（Ｓ１０）。ページ捲りに失敗した場合には、ページ捲り失敗終了となる（Ｓ９）。この場合には、装置故障となるので、保守者によるページ捲り装置の修理が必要となる。
【００１５】
次に、前述したページの一括捲り上げ動作について説明する。図３乃至図６はページの一括捲り上げ動作の説明図である。動作は、この図面の番号の順に進んでいくようになっている。図３において、１は通帳、２は該通帳１を搬送する搬送面、３は通帳のページ捲りを行なう捲りローラ、４は搬送面２の下の捲りローラ３と対応する位置に設けられた押し付けローラである。
【００１６】
５は通帳１を搬送するための搬送ローラ、６は搬送面２の下の、搬送ローラ５と対応する位置に設けられた搬送ローラである。７は通帳１が通過したことを検出するセンサ、８はセンサ７により通帳１の先端が検出されてから、Ａステップの所にあるページ捲り開始位置である。Ａステップとは、図示しないステップモータのステップ数である。ステップモータは、ページ捲り装置を駆動するために用いられる。このように構成された装置の動作を説明すれば、以下の通りである。
【００１７】
先ず、図３に示すように通帳１を捲り機構部内のページの一括捲り上げ動作を行なう位置に搬送する。通帳１は図に示す通帳挿入方向からページ捲り機構に挿入される。挿入されると、センサ７は通帳１の先端が通過することを検出する。検出された信号はページ捲り装置の制御部（図示せず）に通知される。該制御部は、センサ７からの通過信号を受けると、ステップモータ（図示せず）のステップ数をカウントする。
【００１８】
一方、搬送ローラ５と６は、通帳１を内部に引き込む。この結果、通帳１は徐々にページ捲り機構に引き込まれることになる。ここで、ステップモータのステップ数がＡステップになったことを検出すると、制御部は通帳搬送系の動作を停止する。この結果、通帳１の先端は、ページ捲り開始位置８で停止する。この位置から通帳のページ捲りが開始される。
【００１９】
図４はページ捲り動作を示している。即ち、通帳のページは、捲りローラ３と押し付けローラ４とにより押圧を受けており、捲りローラ３が矢印方向に回転する。この時、押し付けローラ４、及び搬送ローラ５，６はロック状態にあるので、捲りローラ３の回転により通帳１がすべるおそれはない。通帳のページは、捲れてＡに示すように膨らんでいく。図のＡは１枚目が膨らんだ状態を示す。更に、捲りローラ３を回転させると、１枚目は図のＢに示すように捲り上げられた状態になる。
【００２０】
以降、図５に示すように複数のページの捲り動作を繰り返し行なう。この結果、Ｃに示すように全てのページが捲り上げられた状態になる。なお、表紙ページは紙質が硬直に作られているため、捲り動作で捲られることはない。
【００２１】
次に、図６に示すように、通帳１を引き戻す方向に搬送する。具体的には、押し付けローラ４のロックが解除され、捲りローラ３は膨らまし方向に回転する。一方、搬送ローラ５は時計方向に、搬送ローラ６は反時計方向に回転することにより、通帳１は通帳が搬送されてきた方向に搬送される。この結果、捲り上がった全てのページが元に戻ったことになる。
【００２２】
この全ページ一括捲り上げ動作により、通帳のページとページの間には隙間ができ、さばき効果が発生し、捲れやすくなっている。そこで、図３の捲り開始位置に通帳１を搬送して、ページ捲りを行なうとその成功率を高めることができる。
【００２３】
次に、前述したローラのクリーニング動作について説明する。図７、図８はローラクリーニング動作説明図である。動作は図７、図８に示す順に進んでいくようになっている。図３と同一のものは、同一の符号を付して示す。図７は通帳挿入方向から通帳１が挿入され、ページ捲り機構内部に搬送されてきた状態を示している。この場合に、制御部は、通帳１の先端がセンサ７により検出されたら、ステップモータのステップ数をカウントし、通帳１の先端がセンサ７で検出されてからＢステップに達したら搬送ローラ５，６の動作を停止させる。この位置１５が捲りローラクリーニング動作を開始する開始位置となる。ここで、捲りローラ３が当接している通帳ページ面は余白部分であるものとする。
【００２４】
次に、制御部は捲りローラ３、押し付けローラ４、搬送ローラ５，６を制御させて捲りローラ３のクリーニングを開始する。具体的には、搬送ローラ５，６をロックし、ページ面の余白部分を上側のローラである捲りローラ３と、通帳ページ面の下側のローラである押し付けローラ４とで挟んだ状態で、押し付けローラ４をロックさせたまま、捲りローラ３のみを通帳ページ面を膨らませる方向とは反対の方向に（逆向きに）回転させる。この結果、捲りローラ３は捲り方向とは逆向きの方向に、つまり反時計方向に回転するため、捲りローラ３の表面に付着していた紙成分、ほこり、ちり等が除去され、クリーニングされる。
【００２５】
このように、この実施の形態例によれば、捲りローラ３の面がクリーニングされてページ捲り時のグリップ力を回復させ、ページ捲りの成功率を高めることができる。
【００２６】
本発明によれば、前記した通帳ページ捲りの制御方法の機能を具備するページ捲り動作の制御装置を実現することができる。これによれば、ページ捲りの成功率を高めたページ捲り動作の制御装置を提供することができる。
【００２７】
上述の実施の形態例では、１回目のページ捲り動作に失敗した場合、ページの一括捲り上げ動作と捲りローラのクリーニング動作を続けて行なう場合について説明したが、本発明はこれに限るものではなく、その内の何れか一方のみを行なうようにしてもよい。
【００２８】
【発明の効果】
以上説明したように、本発明によれば、以下の効果が得られる。
（１）請求項１記載の発明によれば、通帳の捲り開始前にページ捲り失敗を起こさないための処理の制御処理を行なうので、ページ捲りの成功率を向上させることができる。
（２）請求項２記載の発明によれば、ページの一括捲り上げ動作時には、ページとページの間に隙間が生じることになり、さばき効果（ページ間の密着力を軽減する効果）が発生する。このため、次に行なうページ捲りの成功率を高めることができる。また、ローラをクリーニングした場合にもグリップ力を高めることで次に行なうページ捲りの成功率を高めることができる。
（３）請求項３記載の発明によれば、ページ一括捲り上げにより、ページとページの間に隙間が生じた状態になっているので、ページを元に戻してページ捲りを行わせるとき、ページ捲りの成功率を高めることができる。
（４）請求項４記載の発明によれば、捲りローラの面がクリーニングされてページ捲り時のグリップ力を回復させ、ページ捲りの成功率を高めることができる。
（５）請求項５記載の発明によれば、ページ捲りの成功率を高めたページ捲り動作の制御装置を提供することができる。
【００２９】
このように、本発明によれば、ページ捲りの成功率を向上させることができる通帳ページ捲り動作の制御方法及び装置を提供することが可能となる。
【図面の簡単な説明】
【図１】本発明の原理を示すフローチャートである。
【図２】本発明の一実施の形態例の動作を示すフローチャートである。
【図３】ページの一括捲り上げ動作の説明図である。
【図４】ページの一括捲り上げ動作の説明図である。
【図５】ページの一括捲り上げ動作の説明図である。
【図６】ページの一括捲り上げ動作の説明図である。
【図７】ローラクリーニングの動作説明図である。
【図８】ローラクリーニングの動作説明図である。
【符号の説明】
１　通帳
２　搬送面
３　捲りローラ
４　押し付けローラ
５　搬送ローラ
６　搬送ローラ
７　センサ
８　通帳ページ捲り開始位置
【図１】
2004090350.tif 000003
【図２】
2004090350.tif 000004
【図３】
2004090350.tif 000005
【図４】
2004090350.tif 000006
【図５】
2004090350.tif 000007
【図６】
2004090350.tif 000008
【図７】
2004090350.tif 000009
【図８】
2004090350.tif 000010